(57)【要約】【課題】  本発明は、波長を選択して透過させる部材が例えば薄いフィルム状から構成されている場合でも、該部材の形状を維持した状態で、光源装置に対し設置又は交換することが容易な光源装置の提供を目的とする。【解決手段】  本発明に係る光源装置は、光の出射面が線状に延在された光源部と、前記光の出射面に沿って長手方向に延在され、光の波長を選択して透過させる波長選択透過部と、前記光源部及び前記波長選択透過部を内部に収納する筐体部とを有し、前記波長選択透過部は、所定の波長領域の光を透過させる透過部材と、該透過部材を積層して保持する板状の保持部材とを備えていることを特徴とする。【選択図】  図１
2013012420.tif 000002
【特許請求の範囲】
【請求項１】
光の出射面が線状に延在された光源部と、
前記光の出射面に沿って長手方向に延在され、光の波長を選択して透過させる波長選択透過部と、
前記光源部及び前記波長選択透過部を内部に収納する筐体部とを有し、
前記波長選択透過部は、所定の波長領域の光を透過させる透過部材と、該透過部材を積層して保持する板状の保持部材とを備えていること
を特徴とする光源装置。
【請求項２】
前記筐体部は、該筐体部の長手方向の一端に設けられ前記波長選択透過部を該筐体部に嵌合させて前記波長選択透過部を固定する固定部を備えていること
を特徴とする請求項１に記載の光源装置。
【請求項３】
前記固定部は、前記波長選択透過部を固定する際に前記筐体部に挿入する方向に突出した係留部を備えた固定部材を設け、
前記係留部は、前記波長選択透過部の切り欠いた一部と係留し、かつ、上方に向かって突出する第１の係留部と、前記筐体部の一部を切り欠いた切り欠き部に嵌合し、かつ、前記筐体部に向かって突出した第２の係留部とを設けていること
を特徴とする請求項２に記載の光源装置。
【請求項４】
前記第１の係留部は、前記筐体部に挿入する方向に向かって下り傾斜して形成されていること
を特徴とする請求項３に記載の光源装置。
【請求項５】
前記第２の係留部は、前記筐体部に挿入する方向に向かい前記第２の係留部の厚みが薄くなるように傾斜して形成されていること
を特徴とする請求項３に記載の光源装置。
【請求項６】
前記筐体部は、短手方向に分離可能に形成されていること
を特徴とする請求項１に記載の光源装置。
【請求項７】
前記筐体部は、第１の筐体及び第２の筐体から成り、
第１の筐体及び第２の筐体は、それぞれを略Ｌ字状に形成され、その各々の底面の一部が重なった状態で組み付けられ、かつ、前記第１の筐体の側面は、装置が設置可能な壁面に固定可能とし、前記第２の筐体は短手方向に分離可能に構成されていること
を特徴とする請求項６に記載の光源装置。
【請求項８】
前記波長選択透過部は、前記筐体部に装着され、かつ、側面から入射された光を主面から導出する導光部よりも１ｍｍ乃至４ｍｍ大きな幅で形成されていること
を特徴とする請求項１に記載の光源装置。
【請求項９】
光の出射面が線状に延在された光源部と、前記光の出射面に沿って長手方向に延在され、光の波長を選択して透過させる波長選択透過部と、前記光源部及び前記波長選択透過部を内部に収納する筐体部とを有し、前記波長選択透過部は、所定の波長領域の光を透過させる透過部材と、該透過部材を積層して保持する板状の保持部材とを備えた光源装置と、
前記光源装置の前記光源部に隣接し、側面から入射された前記光源の光を主面から導出する導光板を備えた導光部とを有すること
を特徴とするバックライト装置。
【請求項１０】
前記導光板の前記主面に、前記側面から入射された前記光源の光を拡散光として導出させる凹部、凸部又はそれらを組み合わせたものが複数形成されていること
を特徴とする請求項９に記載のバックライト装置。
【請求項１１】
光の出射面が線状に延在された光源部と、前記光の出射面に沿って長手方向に延在され、光の波長を選択して透過させる波長選択透過部と、前記光源部及び前記波長選択透過部を内部に収納する筐体部とを有し、前記波長選択透過部は、所定の波長領域の光を透過させる透過部材と、該透過部材を積層して保持する板状の保持部材とを備えた光源装置と、
前記光源装置の前記光源部に隣接し、側面から入射された前記光源の光を主面から導出する導光板を備えた導光部とを有するバックライト装置と、
前記導光部の主面の両側又は片側に積層され、所定の情報が表示された表示板を備えた表示部とを有すること
を特徴とする表示装置。
【発明の詳細な説明】
【技術分野】
【０００１】
本発明は、波長を選択して透過させる部材を配設した光源装置、該光源装置を設けたバックライト装置及び該バックライト装置を設けた表示装置に関する。
【背景技術】
【０００２】
従来、電飾パネル、非常灯、案内灯、標識、表札等に利用されるエッジライト式の面発光型照明装置に関し、基板に実装された少なくとも１つの白色ＬＥＤ素子と、当該白色ＬＥＤ素子から発した光のうち青色光を主に反射する反射フィルタと、前記白色ＬＥＤ素子から発した光及び前記反射フィルタで反射した青色光を吸収して蛍光する赤色蛍光体とを備えた構成がある（例えば、特許文献１参照。）。
【０００３】
また、色変換フィルタを用いた面光源装置に関し、ガラス基板１２上に紫外線に励起されて青緑色光を放出する、残光性を有する蓄光蛍光体層１３と、紫外線に励起されて青緑色光と補色関係にある赤色光を放出する、残光性を有しない通常蛍光体層１４をそれぞれ分散配置して色変換フィルタ３を構成し、該色変換フィルタ３の下方に紫外線光源を配置した構成がある（例えば、特許文献２参照。）。
【先行技術文献】
【特許文献】
【０００４】
【特許文献１】特開２００７−７３２０６号公報
【特許文献２】特開２００８−１９１３２１号公報
【発明の概要】
【発明が解決しようとする課題】
【０００５】
しかしながら、前述の様な構成では、蛍光体をガラス基板に均一に塗布又は装着することが困難であり、該蛍光体の厚みが不均一になる等に起因して色斑が発生する問題があった。また、波長を選択して透過させる部材が厚いフィルム状から構成されている場合には該部材の透過率が低くなることから、該フィルムを光源装置に用いても十分な照度が得られないという問題があった。一方、波長を選択して透過させる部材が薄いフィルム状から構成されている場合には該部材の形状を維持することが困難であり、該フィルムを光源装置に設置又は交換する際に手間が掛かるという問題があった。
【０００６】
そこで、本発明は前述の技術的な課題に鑑み、波長を選択して透過させる部材が例えば薄いフィルム状から構成されている場合でも、該部材の形状を維持した状態で、光源装置に対し設置又は交換することが容易な光源装置の提供を目的とする。また、該光源装置を設けたバックライト装置の提供を目的とする。さらに、該バックライト装置を設けた表示装置の提供を目的とする。
【課題を解決するための手段】
【０００７】
前述の課題を解決すべく、本発明に係る光源装置は、光の出射面が線状に延在された光源部と、前記光の出射面に沿って長手方向に延在され、光の波長を選択して透過させる波長選択透過部と、前記光源部及び前記波長選択透過部を内部に収納する筐体部とを有し、前記波長選択透過部は、所定の波長領域の光を透過させる透過部材と、該透過部材を積層して保持する板状の保持部材とを備えていることを特徴とする。
【０００８】
また、前述の課題を解決すべく、本発明に係るバックライト装置は、光の出射面が線状に延在された光源部と、前記光の出射面に沿って長手方向に延在され、光の波長を選択して透過させる波長選択透過部と、前記光源部及び前記波長選択透過部を内部に収納する筐体部とを有し、前記波長選択透過部は、所定の波長領域の光を透過させる透過部材と、該透過部材を積層して保持する板状の保持部材とを備えた光源装置と、前記光源装置の前記光源部に隣接し、側面から入射された前記光源の光を主面から導出する導光板を備えた導光部とを有することを特徴とする。
【０００９】
また、前述の課題を解決すべく、本発明に係る表示装置は、光の出射面が線状に延在された光源部と、前記光の出射面に沿って長手方向に延在され、光の波長を選択して透過させる波長選択透過部と、前記光源部及び前記波長選択透過部を内部に収納する筐体部とを有し、前記波長選択透過部は、所定の波長領域の光を透過させる透過部材と、該透過部材を積層して保持する板状の保持部材とを備えた光源装置と、前記光源装置の前記光源部に隣接し、側面から入射された前記光源の光を主面から導出する導光板を備えた導光部とを有するバックライト装置と、前記導光部の主面の両側又は片側に積層され、所定の情報が表示された表示板を備えた表示部とを有することを特徴とする。
【発明の効果】
【００１０】
本発明に係る光源装置によれば、波長を選択して透過させる部材が例えば薄いフィルム状から構成されている場合でも、該部材の形状を維持した状態で、光源装置に対し設置又は交換することが容易である。
【図面の簡単な説明】
【００１１】
【図１】本発明の第１の実施形態に係る光源装置１を示す斜視図であり、（ａ）は光源装置１を一体に組み立てた状態で示す斜視図、（ｂ）は光源装置１を構成部材毎に分解した状態で示す斜視図である。
【図２】本発明の第１の実施形態に係る光源装置１を示す図であり、（ａ）は光源装置１を一方から示す側面図、（ｂ）は光源装置１を一方から示す端面図、（ｃ）は光源装置１を一方に対向した他方から示す側面図、（ｄ）は光源装置１を一方に対向した他方から示す端面図であり、それぞれ図１に対応している。
【図３】本発明の第１の実施形態に係る光源装置１を一方から示す側面図であり、導光板１３１を装着している状態で示し、図２（ａ）に対応している。
【図４】本発明の第１の実施形態に係る光源装置１を構成する光源部１０の一部を示す斜視図であり、図１に対応している。
【図５】本発明の第１の実施形態に係る光源装置１を構成する波長選択透過部２０の一部を示す斜視図であり、図１に対応している。
【図６】本発明の第１の実施形態に係る光源装置１を構成する筐体部３０の一部を示す図であり、（ａ）は筐体部３０の一部を構成部材毎に分解した状態で示す斜視図、（ｂ）は筐体部３０の一部を構成部材毎に分解した状態で示す側面図であり、それぞれ図１に対応している。
【図７】本発明の第１の実施形態に係る光源装置２を示す斜視図であり、（ａ）は光源装置２を一体に組み立てた状態で示す斜視図、（ｂ）は光源装置２を構成部材毎に分解した状態で示す斜視図である。
【図８】本発明の第１の実施形態に係る光源装置２を構成する波長選択透過部４０の一部を示す斜視図であり、図７に対応している。
【図９】本発明の第１の実施形態に係る光源装置２を構成する筐体部５０の一部を示す図であり、（ａ）は筐体部５０の筐体５１の一部を示す斜視図、（ｂ）は筐体部５０の筐体５１を示す側面図であり、それぞれ図７に対応している。
【図１０】本発明の第１の実施形態に係る光源装置２を構成する固定部６０を示す図であり、（ａ）は固定部６０の固定部材６１を一方から示す斜視図、（ｂ）は固定部６０の固定部材６１を一方に対向した他方から示す斜視図であり、それぞれ図７に対応している。
【図１１】本発明の第１の実施形態に係る光源装置３を示す斜視図であり、（ａ）は光源装置３を一体に組み立てた状態で示す斜視図、（ｂ）は光源装置３を構成部材毎に分解した状態で示す斜視図である。
【図１２】本発明の第１の実施形態に係る光源装置３を構成する光源部７０の一部を示す斜視図であり、図１１に対応している。
【図１３】本発明の第１の実施形態に係る光源装置３を構成する固定部８０を示す図であり、（ａ）は固定部８０の固定部材８１を一方から示す斜視図、（ｂ）は固定部８０の固定部材８１を一方に対向した他方から示す斜視図であり、それぞれ図１１に対応している。
【図１４】本発明の第２の実施形態に係る光源装置４を構成する波長選択透過部９０を示す斜視図であり、（ａ）は光源装置４の長手方向に沿って透過波長領域が異なる複数の透過部材９１を１個の保持部材９２に隣接して設けた波長選択透過部９０を示す斜視図、（ｂ）は光源装置４の短手方向に沿って透過波長領域が異なる複数の透過部材９３を１個の保持部材９２に隣接して設けた波長選択透過部９０を示す斜視図、（ｃ）は光源装置４の短手方向に沿って透過波長領域が異なる複数の透過部材９５をそれぞれ複数の保持部材９９に設けた波長選択透過部９０を示す斜視図である。
【図１５】本発明の第２の実施形態に係る光源装置４を構成する波長選択透過部９０を示す斜視図であり、（ａ）は１個の保持部材９２に対して１個の透過部材９４を設けた上で更に透過波長領域が異なる複数の透過部材９５を短手方向の一端から他端にかけて隣接して設けた波長選択透過部９０を分解した状態で示す斜視図、（ｂ）は１個の保持部材９２に対して透過波長領域が異なる複数の透過部材９６を短手方向の両端から中心にかけて一部重ね合わせて設けた波長選択透過部９０を分解した状態で示す斜視図である。
【図１６】本発明の第２の実施形態に係る光源装置４を構成する波長選択透過部９０を示す斜視図であり、（ａ）は１個の保持部材９２に対して透過波長領域が異なる複数の透過部材９７を長手方向の一端から他端にかけて一部重ね合わせて設けた波長選択透過部９０を分解した状態で示す斜視図、（ｂ）は１個の保持部材９２に対して透過波長領域が異なる複数の透過部材９８を長手方向の両端から中心にかけて一部重ね合わせて設けた波長選択透過部９０を分解した状態で示す斜視図である。
【図１７】本発明の第２の実施形態に係る光源装置４の光源部１０及び波長選択透過部９０の一部を示す斜視図であり、波長選択透過部９０を透過させて示し、図１４（ｃ）に対応している。
【図１８】本発明の第３の実施形態に係る光源装置５を短手方向から示す端面図であり、透過部材１１１を設けた保持部材１１２が集光レンズの機能を有した波長選択透過部１１０を示している。
【図１９】本発明の第３の実施形態に係る光源装置６を短手方向から示す端面図であり、透過部材１２１を設けた保持部材１２２が拡散レンズの機能を有した波長選択透過部１２０を示している。
【図２０】本発明の第４の実施形態に係るバックライト装置７を示す斜視図である。
【図２１】本発明の第５の実施形態に係る表示装置８を示す斜視図である。
【発明を実施するための形態】
【００１２】
以下、本発明の光源装置１乃至光源装置６、バックライト装置７及び表示装置８に係る好適な実施形態について、図面を参照しながら説明する。なお、本発明の光源装置１乃至光源装置６、バックライト装置７及び表示装置８は、以下の記述に限定されるものではなく、本発明の要旨を逸脱しない範囲において、適宜変更可能である。以下の記述において、本発明の光源装置１乃至光源装置６、バックライト装置７及び表示装置８を構成する各構成部材の材質及び形状等は一例であり、他の材質及び形状等に適宜変更可能である。
【００１３】
また、以下の説明においては、最初に本発明の第１の実施形態に係る光源装置１乃至光源装置３について図１乃至図１３を参照しながら説明する。次に本発明の第２の実施形態に係る光源装置４について図１４乃至図１７を参照しながら説明する。次に本発明の第３の実施形態に係る光源装置５及び光源装置６について図１８及び図１９を参照しながら説明する。次に本発明の第４の実施形態に係るバックライト装置７について図２０を参照しながら説明する。次に本発明の第５の実施形態に係る表示装置８について図２１を参照しながら説明する。次に本発明の第４の実施形態に係るバックライト装置７及び第５の実施形態に係る表示装置８にそれぞれ設けられた導光板１３１の製造方法について説明する。最後に本発明の光源装置１乃至光源装置６、バックライト装置７及び表示装置８の構成と主な作用効果について請求項毎に説明する。
【００１４】
［第１の実施形態］
以下、本発明の第１の実施形態に係る光源装置１乃至光源装置３について、図１乃至図１３を参照しながら、具体的に説明する。なお、図１乃至図６に示す光源装置１、図７乃至図１０に示す光源装置２、及び図１１乃至図１３に示す光源装置３の順で説明する。
【００１５】
本発明の第１の実施形態に係る光源装置１は、波長を選択して透過させる部材が例えば薄いフィルム状から構成されている場合でも、該部材の形状を維持した状態で、光源装置に対し設置又は交換することが容易である。この様な光源装置１は、図１及び図５に示すように、光を出射する光源部１０、光源部１０の前方に配設され光の波長を選択して透過させる透過部材２１が張架された状態で保持部材２２に積層された板状の波長選択透過部２０、及び光源部１０及び波長選択透過部２０をそれぞれ収納する筐体部３０から構成されている。以下、光源装置１の各構成について、順に説明する。
【００１６】
光源装置１を構成する光源部１０は、図１及び図４に示すように、光の出射面が線状に延在されている。この様な光源部１０は、光源１１、該光源１１を実装する基板１２、該基板１２を保持する基板保持部材１３、及び光源１１への駆動電力を供給する配線１４から構成されている。以下、光源部１０を構成する各部材について、順に説明する。光源部１０の光源１１は、発光ダイオード（ＬＥＤ：Ｌｉｇｈｔ  Ｅｍｉｔｔｉｎｇ  Ｄｉｏｄｅ）から成る。また、光源１１は、白色、赤色、橙色、黄色、緑色、青色、藍色又は紫色のいずれかの色若しくはそれらの色の組み合わせから成るＬＥＤで構成する。また、光源１１は、紫外域又は赤外域の光を発するＬＥＤで構成しても良い。この様な光源１１は、後述する基板１２に、所定の間隔で複数個配列されている。なお、光源１１は、ＬＥＤに限定されることはなく、有機発光ダイオード、蛍光管、冷陰極管、白熱電球又はネオン管等で構成しても良い。また、光源部１０の基板１２は、板状に形成されたガラスエポキシ基板から成る。この様な基板１２の上部に形成された実装面１２ａに、光源１１を所定の間隔で複数配設されている。
【００１７】
また、光源部１０の基板保持部材１３は、アルミニウム又は銅の合金から成り、短手方向の両端に基板１２を位置決めする直線状の凸部を設けた板状部から形成され、基板１２を積層して保持する。この様な基板保持部材１３は、放熱部材としても機能する。また、基板保持部材１３は、表面が平滑な金属板から成ることから、後述する筐体部３０の内部に収納する場合に、光源部載置面３１ａ等で引っ掛かることが無く、容易に抜き差しすることができる。なお、基板保持部材１３の上部に形成された積層面１３ｂに、両面テープで貼り付け又は接着剤を塗布した状態で、基板１２を接合した状態で積層して保持する。また、光源部１０の配線１４は、外部から駆動電力が供給される配線であり、基板１２の実装面１２ａに設けられた電極１２ｂに半田付けされている。なお、配線１４と基板保持部材１３に、図示せぬ樹脂がモールドされ、配線１４の断線及び電極１２ｂの剥がれを防止している。
【００１８】
光源装置１を構成する波長選択透過部２０は、図１及び図５に示すように、光源部１０の光の出射面に沿って長手方向に延在され、光の波長を選択して透過させる。ここで、波長選択透過部２０は、所定の波長領域の光を透過させる薄膜又はフィルム状の透過部材２１と、該透過部材２１を積層して保持する板状の保持部材２２とを備えている。この様な波長選択透過部２０は、透過部材２１及び保持部材２２から構成されている。以下、波長選択透過部２０を構成する各部材について、順に説明する。波長選択透過部２０の透過部材２１は、光の波長を選択して透過させる。また、透過部材２１は、厚みが４０μｍでフィルム状に形成されたポリ塩化ビニルと、該ポリ塩化ビニルに塗布され厚みが２５μｍでアクリル系の粘着剤から成る。また、透過部材２１は、所定の色の着色料により着色されている。ここで、透過部材２１は、可視光領域の光を概ね３０％乃至９０％透過させる。なお、透過部材２１は、紫外線領域の光を９９％以上遮蔽する。ここで、透過部材２１は、異なる色の着色料により着色された複数の部材を積層して形成しても良い。
【００１９】
また、波長選択透過部２０の保持部材２２は、透明であり透過部材２１を張架した状態で積層する。また、保持部材２２は、アクリル酸又はメタクリル酸を重合して形成したアクリル樹脂から成り、厚みが０．５ｍｍ乃至１ｍｍで板状に形成されている。また、保持部材２２の材質は、アクリル樹脂に限定されることはなく、例えばポリカーボネート樹脂又はポリエチレンテレフタレート（ＰＥＴ）樹脂を用いても良い。ここで、透過部材２１は、透過部材２１に対して張架された状態で積層して接着されている。また、保持部材２２は長方形状で長尺から成る１枚の板状に形成され、且つ透過部材２１も長方形状で長尺から成り１枚のフィルム状に形成されている。ここで、透過部材２１の縦方向及び横方向の寸法は、保持部材２２の上方に張架して貼り付けできるように、該保持部材２２の各寸法と比較して、同等又は僅かに小さな寸法で形成されている。
【００２０】
光源装置１を構成する筐体部３０は、図１及び図２等に示すように、光源部１０及び波長選択透過部２０を内部に収納し、長方体形状から成る。この様な筐体部３０は、第１の筐体３１、第２の筐体３２、ネジ３３、第１の蓋３４及び第２の蓋３５から構成されている。以下、筐体部３０を構成する各部材について、順に説明する。筐体部３０の第１の筐体３１は、図６に示すように、断面がＬ字状で板状に形成されたアルミニウム合金の金属板から成る。また、第１の筐体３１の内部の下方に形成された光源部載置面３１ａに、光源部１０を載置して収納する。また、第１の筐体３１の波長選択透過部載置面３１ｂの近傍に形成された係合溝３１ｃに、波長選択透過部２０を差し込んで係合する。さらに、第１の筐体３１の内部の片側に形成された波長選択透過部載置面３１ｂに、後述するバックライト装置７を構成する導光部１３０の導光板１３１を保持する。なお、導光板１３１には光源部１０の光源１１から光が入射される。
【００２１】
また、筐体部３０の第２の筐体３２は、図６に示すように、第１の筐体３１と略対称形状であって、断面がＬ字状に形成されたアルミニウム合金の金属板から成り、第１の筐体３１と接続される。ここで、第１の筐体３１の下部の下面に形成された当接面３１ｅと、第２の筐体３２の下部の上面に形成された当接面３２ｅとを当接させた状態で、該第１の筐体３１及び第２の筐体３２が、ネジ３３により固定されている。また、ネジ３３が、第２の筐体３２の当接面３２ｅに開口された貫通孔３２ｈに挿通された状態で、第１の筐体３１の当接面３１ｅに形成されたネジ溝３１ｍにネジ留めされる。また、第１の筐体３１及び第２の筐体３２がネジ３３により固定されている状態で、第１の筐体３１の内壁である嵌合面３１ｄに、第１の蓋３４及び第２の蓋３５がそれぞれ嵌合される。また、筐体部３０の第１の蓋３４は、図１及び図２（ａ）に示すように、第１の筐体３１の一方の端面に嵌合される。この様な第１の蓋３４は、ポリカーボネイトから成り、凸部及び開口孔が設けられた長方体から形成されている。同様に、筐体部３０の第２の蓋３５は、図１及び図２（ｃ）に示すように、第１の筐体３１の他方の端面に嵌合される。
【００２２】
また、筐体部３０には、図３に示すように、後述する導光部１３０の導光板１３１を装着して用いる。ここで、第１の筐体３１の波長選択透過部載置面３１ｂが平面から形成され、且つ波長選択透過部２０の保持部材２２の下面が平面から形成されているため、筐体部３０に対して波長選択透過部２０を着脱する際に、摩擦抵抗が少ない状態で交換できる。なお、導光板１３１の短手方向の幅は、３ｍｍ乃至８ｍｍである。一方、波長選択透過部２０の短手方向の幅は、導光板１３１の短手方向の幅よりも１ｍｍから４ｍｍ長い。したがって、波長選択透過部２０から出射された光を、導光板１３１に対して確実に入射させることができる。
【００２３】
次に、本発明の第１の実施形態に係る光源装置２について、図７乃至図１０を参照しながら、具体的に説明する。ここで、光源装置２は、前述した光源装置１と比較して波長選択透過部４０の着脱が容易で、該波長選択透過部４０の着脱に係る作業性を大幅に向上させることができる。この様な光源装置２は、図７に示すように、光源部１０、波長選択透過部４０、筐体部５０及び固定部６０から構成されている。以下、光源装置２に特有の各構成について、順に説明する。
【００２４】
光源装置２を構成する波長選択透過部４０は、図８に示すように、透過部材４１及び保持部材４２から構成されている。ここで、透過部材４１及び保持部材４２は、波長選択透過部２０の透過部材２１及び保持部材２２と同様の仕様から成る。但し、透過部材４１及び保持部材４２には、それぞれ第１の切欠部４１ａ及び４２ａが形成され、後述する図１０に示す固定部６０の固定部材６１に形成された係留部６２の第１の係留部６２ａに係留される。また、透過部材４１の第１の切欠部４１ａ及び保持部材４２の第１の切欠部４２ａは、側面の両側に四角形状に切欠が形成されている。なお、透過部材４１の第１の切欠部４１ａ及び保持部材４２の第１の切欠部４２ａは、切欠状に限定されることはなく、孔状であっても良く、又は突起状であっても良い。なお、保持部材４２のみに、第１の切欠部４２ａを形成する構成としても良い。
【００２５】
光源装置２を構成する筐体部５０は、図７に示すように、光源部１０及び波長選択透過部４０を収納する。この様な筐体部５０は、筐体５１、第２の蓋５２及び固定部６０から構成されている。以下、筐体部５０を構成する各部材について、順に説明する。筐体部５０の筐体５１は、断面がコの字状で形成されたアルミニウム合金の金属板から成る。また、筐体５１の内部の下方に形成された光源部載置面５１ａに、光源部１０を載置して収納する。また、筐体５１の波長選択透過部載置面５１ｂの近傍に形成された係合溝５１ｃに、波長選択透過部４０を差し込んで係合する。また、筐体５１の外周面５１ｓの一方に円形状に開口された第２の嵌合部５１ｔには後述する固定部６０が嵌合され、筐体５１の外周面５１ｓの一方に対向した他方に円形状に開口された第２の嵌合部５１ｔには第２の蓋５２が嵌合される。なお、筐体５１の第２の嵌合部５１ｔは、貫通した孔状に形成されているが、該孔状に限定されることはなく、切欠状であっても良く、又は突起状であっても良い。さらに、筐体５１の内部の両側に形成された波長選択透過部載置面５１ｂに、波長選択透過部４０を介して、後述するバックライト装置７を構成する導光部１３０の導光板１３１を保持する。
【００２６】
筐体部５０に備えられた固定部６０は、図１０に示すように、固定部材６１から構成されている。この様な固定部材６１は、ポリカーボネイトから成り、複数の凹凸及び開口孔が設けられた長方体から形成されている。ここで、固定部材６１の係留部６２の第１の係留部６２ａが、波長選択透過部４０の透過部材４１の第１の切欠部４１ａ及び保持部材４２の第１の切欠部４２ａに嵌合される。同様に、固定部材６１の係留部６２の第２の係留部６２ｂが、筐体５１の第２の嵌合部５１ｔに嵌合される。また、固定部材６１の係留部６２は、一対から成り、該固定部材６１の係留面６１ｐから所定の間隔を設けて筐体５１へ挿入する方向に向かって突起状に突出して形成されている。さらに、波長選択透過部４０の保持部材４２の第１の切欠部４２ａに係留される第１の係留部６２ａが、固定部材６１に形成された係留部６２の上部の面に形成されている。
【００２７】
また、固定部材６１の第１の係留部６２ａは、係留部６２の上部から第１の切欠部４２ａに係留する方向に向かって台形台形状に突出し、且つ筐体５１へ挿入する方向に向かって下り傾斜面が形成されている。したがって、固定部材６１の第１の係留部６２ａに形成された傾斜面により、第１の係留部６２ａを保持部材４２に切欠状に形成された第１の切欠部４２ａに係留させる際に挿入する抵抗を少なくすることができる。また、固定部材６１の第１の係留部６２ａに形成された傾斜面により、保持部材４２の第１の切欠部４２ａに対して簡単に誘導することができる。さらに、第１の係留部６２ａを保持部材４２の第１の切欠部４２ａに係留させている状態では、上方に向かって断面形状が台形台形状に突出した第１の係留部６２ａの引っ掛かりにより、第１の切欠部４２ａから外れ難い状態で嵌合させることが可能である。
【００２８】
さらに、固定部材６１に形成された係留部６２の側部の外側に、筐体５１の第２の嵌合部５１ｔに係留される第２の係留部６２ｂが形成されている。また、固定部材６１の第２の係留部６２ｂは、係留部６２の側部から円柱形状に外側に向かって突出し、且つ係留面６１ｐから筐体５１へ挿入する方向に向かって第２の係留部６２ｂの突出した部分の厚みが薄くなるように傾斜面が形成されている。したがって、固定部材６１の第２の係留部６２ｂに形成された傾斜面により、第２の係留部６２ｂを筐体５１の孔状に形成された第２の嵌合部５１ｔに嵌合させる際に、挿入する抵抗を少なく、また簡単に誘導することができる。さらに、係留部６２を筐体５１に係留させている状態では、円柱形状に突出した第２の係留部６２ｂが円形状に開口された第２の嵌合部５１ｔから外れ難い状態で嵌合させることが可能である。なお、固定部材６１の係留部６２に形成された第１の係留部６２ａ及び第２の係留部６２ｂは、突起状に限定されることはなく、切欠状であっても良く、又は孔状であっても良い。また、固定部材６１に一対の円筒状に開口された配線孔６１ｒに、光源部１０の配線１４が挿通される。
【００２９】
次に、本発明の第１の実施形態に係る光源装置３について、図１１乃至図１３を参照しながら、具体的に説明する。ここで、光源装置３は、前述した光源装置１と比較して光源部７０及び波長選択透過部４０を同時に着脱させることが容易で、該光源部７０及び波長選択透過部４０の着脱に係る作業性を大幅に向上させることができる。この様な光源装置３は、図１１に示すように、光源部７０、波長選択透過部４０、筐体部５０及び固定部８０から構成されている。以下、光源装置３に特有の各構成について、順に説明する。
【００３０】
光源装置３を構成する光源部７０は、図１２に示すように、光源１１、基板１２、基板保持部材７３及び配線１４から構成されている。ここで、基板保持部材７３の基本的な仕様は、基板保持部材１３と同様である。但し、基板保持部材７３には、第３の切欠部７３ａが形成され、後述する固定部８０の固定部材８１に形成された係留部８２の第３の係留部８２ｃに係留される。また、光源部７０の基板保持部材７３の第３の切欠部７３ａは、該基板保持部材７３の側面の両側に切欠状に形成されている。なお、基板保持部材７３の第３の切欠部７３ａは、切欠状に限定されることはなく、孔状であっても良く、又は突起状であっても良い。ここで、基板１２に図示せぬ第３の嵌合部を形成し、後述する固定部８０の固定部材８１に形成された係留部８２の第３の係留部８２ｃを係留させる構成としても良い。
【００３１】
光源装置３を構成する固定部８０は、光源装置２を構成する固定部６０と同様の機能を備え、且つ光源部７０を固定できるように構成されている。また、固定部８０の固定部材８１は、図１３に示すように、ポリカーボネイトから成り、複数の凹凸及び開口孔が設けられた長方体から形成されている。また、固定部材８１の中央に、光源部７０の光源１１に駆動電力を供給する配線１４を通すための配線孔８１ｒが形成されている。また、１対の長方形状の係留部８２が、固定部材８１の壁面から筐体５１に挿入する方向に突出して設けられている。また、係留部８２は、中央の上方に台形台形状に設けられており、上方に向かって突出した第１の係留部８２ａは、一部を筐体５１へ挿入する方向に向かって下り傾斜して設けられている。また、係留部８２は、中央の下方に台形台形状に設けられており、下方に突出した第３の係留部８２ｃは、一部を筐体５１へ挿入する方向に向かって上り傾斜して設けられている。したがって、固定部材８１の第１の係留部８２ａ及び第３の係留部８２ｃに形成された傾斜面により、第１の係留部８２ａを保持部材４２の切欠状に形成された第１の切欠部４２ａに係留させる際、または第３の係留部８２ｃを基板保持部材７３の切欠状に形成された第３の切欠部７３ａに係留させる際、挿入する抵抗を少なく、また簡単に誘導することができる。
【００３２】
また、固定部材８１の第２の係留部８２ｂは、係留部８２の側部から円柱形状に外側に向かって突出し、且つ係留面８１ｐから筐体５１へ挿入する方向に向かって第２の係留部８２ｂの厚みが薄くなるように傾斜面が形成されている。したがって、固定部材８１の第２の係留部８２ｂに形成された傾斜面により、第２の係留部８２ｂを筐体５１に孔状に形成された第２の嵌合部５１ｔに嵌合させるときに、挿入する抵抗を少なく、また簡単に誘導することができる。
【００３３】
以上、本発明の第１の実施形態に係る光源装置１乃至光源装置３によれば、波長を選択して透過させる透過部材が例えば薄いフィルム状から構成されている場合でも、該透過部材の形状を維持した状態で、光源装置に対し設置又は交換することが容易である。
【００３４】
さらに、本発明の第１の実施形態に係る光源装置１乃至光源装置３によれば、例えば波長選択透過部２０及び波長選択透過部４０の各透過部材がフィルム状に形成されていることから、光源部１０又は光源部７０から入射された光を減衰させることなく、且つ湾曲等させた状態で設けることができる。また、光源装置１乃至光源装置３によれば、波長選択透過部２０及び波長選択透過部４０の各透過部材が、長尺から成るフィルム状に形成されている場合でも、該透過部材を張架した状態で保持部材に積層して設けることができることから、しわ又は歪み等の発生を防止することができる。
【００３５】
ここで、本発明の第１の実施形態に係る光源装置１によれば、筐体部３０の短手方向に向かって、該筐体部３０の第１の筐体３１から第２の筐体３２を分解可能であることから、光源装置１を分解する際に広いスペースを必要とすることがなく、作業時の動作範囲を小さくすることができる。また、光源装置１によれば、筐体部３０の第１の筐体３１に波長選択透過部２０を係留した状態で、第１の筐体３１から第２の筐体３２を着脱可能であることから、光源装置１を組立て又は分解する際に、作業性を大幅に向上させることができる。
【００３６】
また、本発明の第１の実施形態に係る光源装置２によれば、図８乃至図１０に示すように、固定部材６１の係留部６２の第１の係留部６２ａが波長選択透過部４０の保持部材４２の第１の切欠部４２ａに嵌合され、且つ固定部材６１の係留部６２の第２の係留部６２ｂが筐体５１の第２の嵌合部５１ｔに嵌合される構成であることから、工具や技能を一切必要とせず、波長選択透過部４０の着脱に係る作業性を大幅に向上させることができる。したがって、光源装置２の使用において、出射させる光の波長範囲を変更したい場合に、波長選択透過部４０を容易に着脱することができる。
【００３７】
さらに、本発明の第１の実施形態に係る光源装置３によれば、図１２及び図１３に示すように、基板保持部材７３に第３の切欠部７３ａが形成され固定部８０の固定部材８１に形成された係留部８２の第３の係留部８２ｃに係留される構成により、波長選択透過部４０に加えて光源部７０の着脱に係る作業性を大幅に向上させることができる。したがって、光源装置３の使用において、出射させる光の波長範囲を変更したい場合に、光源部７０及び波長選択透過部４０を容易に着脱することができる。
【００３８】
［第２の実施形態］
以下、本発明の第２の実施形態に係る光源装置４について、図１４乃至図１７を参照しながら、具体的に説明する。
【００３９】
ここで、本発明の第２の実施形態に係る光源装置４は、例えば図１４に示すように、波長選択透過部９０が、透過波長領域が異なる複数の透過部材を備え、該波長選択透過部９０から出射される光の波長範囲を光源装置４の長手方向又は短手方向に沿って所定の間隔毎に異ならせていることに特徴を有している。また、それ以外の第２の実施形態に係る構成は、第１の実施形態で述べた構成と同様である。そこで、第２の実施形態においては、第１の実施形態と異なる波長選択透過部９０の構成について中心に説明する。
【００４０】
図１４（ａ）に示す波長選択透過部９０では、図１７に示す光源装置４の長手方向に沿って所定の寸法に切断した透過波長領域が異なる４種類の透過部材９１を、長尺から成る１枚の保持部材９２に対して順に配列させて貼り付けている。ここで、複数の透過部材９１が張架された状態で１枚の保持部材９２に貼り付けられていることから、透過部材９１が薄いフィルム状であっても、波長選択透過部９０を光源装置４から取り出すことが容易である。また、図１４（ｂ）に示す波長選択透過部９０では、光源装置４の短手方向に沿って所定の寸法に切断した透過波長領域が異なる４種類の透過部材９３を、長尺から成る１枚の保持部材９２に対して順に配列させて貼り付けている。また、１枚の透過部材９３の短手方向の幅は、保持部材９２の短手方向の幅よりわずかに小さい寸法の４分の１である。また、１枚の透過部材９３の長手方向の幅は、保持部材９２の長手方向の長さと同等の寸法である。ここで、複数の透過部材９３が張架された状態で１枚の保持部材９２に貼り付けられているから、透過部材９３が薄いフィルム状であっても、波長選択透過部９０を光源装置４から取り出すことが容易である。
【００４１】
図１４（ｃ）に示す波長選択透過部９０では、透過波長領域が異なる該波長選択透過部９０を独立して複数設けている。したがって、透過波長領域が異なる複数の波長選択透過部９０を任意に組み合わせることにより、複数の波長選択透過部９０から出射される光の波長範囲を、光源装置４の長手方向に沿って所定の間隔毎に異ならせることができる。ここで、略正方形状に形成された保持部材９９に、該保持部材９９と同一か又は少し小さな寸法の透過部材９５を張架した状態で貼り付けられており、透過部材９５が薄いフィルム状であっても、波長選択透過部９０を光源装置４から取り出すことが容易である。
【００４２】
図１５（ａ）に示す波長選択透過部９０では、１枚の保持部材９２の上部に、所定の波長を選択して透過させ長尺から成る１枚の透過部材９４が、貼り付けられている。また、１枚の透過部材９４の上部に、透過波長領域が異なり所定の寸法に切断された短尺状の４種類の透過部材９５が、長手方向の一端から他端にかけて順に配列させて貼り付けられている。なお、各透過部材９５が、光源部１０に複数設けられた光源１１の前方に位置するように、合計２０個設けられている。さらに、図１５（ｂ）に示す波長選択透過部９０では、１枚の保持部材９２の上部に、透過波長領域が異なる４種類の透過部材９６が、互いに一部重なるように積層して貼り付けされている。また、保持部材９２と同じ長さから１／７の長さまで長手方向の寸法を４種類変えた透過部材９６を、一部重なるように設けている。なお、４種類の中で最も長い透過部材９６が最下部に積層され、且つ４種類の中で最も短い透過部材９６が最上部に積層されるように、保持部材９２の中心を基準に、長いものから順に上部に向かって重ねて貼り付けられている。
【００４３】
図１６（ａ）に示す波長選択透過部９０では、長尺から成る１枚の保持部材９２に対して、透過波長領域が異なり且つ短手方向の寸法が保持部材９２と同じ長さから１／４の長さまで段階的に異なる４種類の透過部材９７が、貼り付けられている。なお、４種類の中で短手方向の寸法が最も長い透過部材９７が最下部に積層され、且つ４種類の中で短手方向の寸法が最も短い透過部材９７が最上部に積層されるように、保持部材９２の長手方向の一端を基準に、上部に向かって順に重ねて貼り付けられている。さらに、図１６（ｂ）に示す波長選択透過部９０では、上述した透過部材９７と同様の仕様から成る透過部材９８を、保持部材９２の長手方向の中心を基準に、短手方向の寸法が長いものから上部に向かって順に重ねて貼り付けられている。
【００４４】
図１７に示す波長選択透過部９０は、図１４（ｃ）に示す波長選択透過部９０に対応しており、複数設けられた光源１１の前方に透過部材９５をそれぞれ配設している。また、図１７では、光源部１０に３個設けられた光源１１に対応するように、３個の透過部材９５が配設されている。ここで、各透過部材９５の光を出射する面の中心軸Ｃ１と、各光源１１の発光面の中心軸Ｃ１とが、一致又は近接するように配置されている。なお、図１７では、各透過部材９５の中心軸Ｃ１と各光源１１の中心軸Ｃ１との位置関係を明確にするために、透過部材９５と光源１１との間の距離を、実際の距離よりも離間させた状態で図示している。さらに、隣接する透過部材９５の間隔は、基板１２に実装された光源１１の間隔の整数倍としても良い。すなわち、例えば１個の透過部材９５に対応するように、２個の光源１１を隣接して配設しても良い。
【００４５】
以上、本発明の第２の実施形態に係る光源装置４によれば、第１の実施形態に係る光源装置１乃至光源装置３と同様に、波長を選択して透過させる透過部材が例えば薄いフィルム状から構成されている場合でも、該透過部材の形状を維持した状態で、光源装置に対し設置又は交換することが容易である。
【００４６】
さらに、本発明の第２の実施形態に係る光源装置４によれば、波長選択透過部９０の透過部材を複数の部材から形成することにより、様々な波長を任意に選択して出射させることができる。したがって、光源装置４の構成では、該光源装置４を後述するバックライト装置７に設けた場合、導光部１３０の導光板１３１の一主面及び他主面から異なる波長の光を出射させることができる。また、例えば図１４（ａ）に示す波長選択透過部９０では、図１７に示す光源装置４の長手方向に沿って所定の寸法に切断した透過波長領域が異なる４種類の透過部材９１を、長尺から成る１枚の保持部材９２に対して順に配列させて設けている。したがって、波長選択透過部９０から出射される光の波長範囲を、光源装置４の長手方向に沿って所定の間隔毎に任意に異ならせることができる。同様に、図１４（ｂ）に示す波長選択透過部９０では、光源装置４の短手方向に沿って所定の寸法に切断した透過波長領域が異なる４種類の透過部材９３を、長尺から成る１枚の保持部材９２に対して順に配列させて設けている。したがって、波長選択透過部９０から出射される光の波長範囲を、光源装置４の短手方向に沿って所定の間隔毎に任意に異ならせることができる。
【００４７】
また、本発明の第２の実施形態に係る光源装置４によれば、図１４（ｃ）に示す波長選択透過部９０のように、略正方形状に形成された保持部材９９に、該保持部材９９と同一か又は少し小さな寸法の透過部材９５を張架した状態で設けることができる。したがって、波長選択透過部９０から出射される光の波長範囲を、透過波長領域が異なる任意の透過部材９５を選択して組み合わせる非常に簡便な構成により、光源装置４の長手方向に沿って所定の間隔毎に任意に異ならせることができる。
【００４８】
ここで、本発明の第２の実施形態に係る光源装置４によれば、図１５（ａ）に示す波長選択透過部９０のように、１枚の保持部材９２の上部に所定の波長を選択して透過させ長尺から成る１枚の透過部材９４が設けられ、且つ該透過部材９４の上部に透過波長領域が異なる４種類の透過部材９５が長手方向の一端から他端にかけて順に配列させて設ける構成とすることができる。この様な構成によれば、波長選択透過部９０から出射される光の波長範囲を、透過部材９４を用いて例えば特定の可視光より長波長の光に制限した上で、且つ透過波長領域が異なる４種類の透過部材９５の組み合わせにより光源装置４の短手方向に沿って所定の間隔毎に任意に異ならせることができる。
【００４９】
さらに、本発明の第２の実施形態に係る光源装置４によれば、図１７に示す波長選択透過部９０のように、各透過部材９５の光を出射する面の中心軸Ｃ１と、各光源１１の発光面の中心軸Ｃ１とが、一致又は近接するように構成することができる。この様な構成によれば、所定の透過波長領域を有する透過部材９５に対応するように、任意の波長の光を発光する光源１１を設けることにより、透過部材９５から出射される波長領域をより効果的に設定することができる。また、青色の透過波長領域を有する透過部材９５に対応するように、青色で発光する光源１１を設ければ、青色と比較して長波長に相当する赤色等の光が混在することなく、透過部材９５から出射される光の波長領域を純粋な青色に設定することができる。
【００５０】
また、本発明の第２の実施形態に係る光源装置４によれば、例えば図１６（ａ）に示す波長選択透過部９０のように、長尺から成る１枚の保持部材９２に対して、透過波長領域が異なり且つ短手方向の寸法が保持部材９２と同じ長さから１／４の長さまで段階的に異なる４種類の透過部材９７を一部重ねた状態で設ける構成とすることができる。この様な構成によれば、波長選択透過部９０から出射される光の波長範囲を、光源装置４の短手方向に沿って所定の間隔毎に任意に異ならせることができ、且つ複数の保持部材９７が重なっている領域からは限定した波長領域の光だけを出射させることができる。また、フィルム状の透過部材９７を複数組み合わせて積層させても、厚みが十分に薄いことから、他の部材との干渉を防止することができる。
【００５１】
なお、本発明の第２の実施形態に係る光源装置４によれば、波長選択透過部９０の保持部材にも、透過部材と同様に波長を選択して透過させる機能を持たせることにより、透過波長の異なる複数の部材を組み合わせて、様々な波長を任意に選択して透過させることができる。
【００５２】
［第３の実施形態］
以下、本発明の第３の実施形態に係る光源装置５及び光源装置６について、図１８及び図１９を参照しながら、具体的に説明する。
【００５３】
ここで、本発明の第３の実施形態に係る光源装置５及び光源装置６は、図１８及び図１９に示すように、波長選択透過部１１０及び波長選択透過部１２０が、レンズの機能を備えていることに特徴を有している。また、それ以外の第３の実施形態に係る構成は、第１及び第２の実施形態で述べた構成と同様である。そこで、第３の実施形態においては、第１及び第２の実施形態と異なる波長選択透過部１１０及び波長選択透過部１２０の構成について中心に説明する。
【００５４】
光源装置５を構成する波長選択透過部１１０では、図１８に示すように、透過部材１１１を積層して保持する保持部材１１２が、集光レンズの機能を有している。また、光源１１に対向して配設された保持部材１１２の入射面は平面から形成され、且つ保持部材１１２の出射面は所定の曲率を有する凸状の曲面から形成されている。したがって、保持部材１１２に入射した光源１１の光は、略集光されて出射される。ここで、透過部材１１１は、保持部材１１２の入射面に積層されて保持されている。また、透過部材１１１を積層して保持している保持部材１１２は、筐体１０１の波長選択透過部載置面１０１ｂの近傍に形成された係合溝１０１ｃに差し込まれて係合している。なお、光源装置５を構成する筐体部１００の筐体１０１は、前述した光源装置２を構成する筐体部５０の筐体５１の簡易的な構造に相当し、例えば第２の嵌合部５１ｔに相当するものが省略されている。なお、波長選択透過部１１０と導光板１３１が干渉しないように、筐体１０１の波長選択透過部載置面１０１ｂの上方に、導光板１３１を載置する凸状の導光部載置面１０１ｖを形成している。
【００５５】
光源装置６を構成する波長選択透過部１２０では、図１９に示すように、透過部材１２１を積層して保持する保持部材１２２が、拡散レンズの機能を有している。また、光源１１に対向して配設された保持部材１２２の入射面は所定の曲率を有する凹状の曲面から形成され、且つ保持部材１２２の出射面は平面から形成されている。したがって、保持部材１２２に入射した光源１１の光は、略拡散されて出射される。ここで、透過部材１２１は、保持部材１２２の出射面に積層されて保持されている。また、透過部材１２１を積層して保持している保持部材１２２は、筐体１０１の波長選択透過部載置面１０１ｂの近傍に形成された係合溝１０１ｃに差し込まれて係合している。なお、保持部材１２２の凹状の曲面から形成された入射面は、筐体１０１との干渉を回避するために、両端が切り欠かれている。
【００５６】
以上、本発明の第３の実施形態に係る光源装置５及び光源装置６によれば、第１及び第２の実施形態に係る光源装置１乃至光源装置４と同様に、波長を選択して透過させる透過部材が例えば薄いフィルム状から構成されている場合でも、該透過部材の形状を維持した状態で、光源装置に対し設置又は交換することが容易である。
【００５７】
さらに、本発明の第３の実施形態に係る光源装置５によれば、該光源装置５を構成する波長選択透過部１１０において、光源１１に対向して配設された保持部材１１２の入射面が平面から形成され、且つ保持部材１１２の出射面が所定の曲率を有する凸状の曲面から形成されている。したがって、保持部材１１２に入射した光源１１の光は、略集光されて出射される。同様に、本発明の第３の実施形態に係る光源装置６によれば、該光源装置６を構成する波長選択透過部１２０において、光源１１に対向して配設された保持部材１２２の入射面が所定の曲率を有する凹状の曲面から形成され、且つ保持部材１２２の出射面が平面から形成されている。したがって、保持部材１２２に入射した光源１１の光は、略拡散されて出射される。この様に、本発明の第３の実施形態に係る光源装置５及び光源装置６によれば、光源１１の光を略集光又は略拡散させた状態で出射させることができることから、光源装置に配設する導光板等に対して任意の配光特性を有する光を入射させることができる。
【００５８】
［第４の実施形態］
以下、本発明の第４の実施形態に係るバックライト装置７について、図２０を参照しながら、具体的に説明する。
【００５９】
ここで、本発明の第４の実施形態に係るバックライト装置７は、図２０に示すように、側面から入射された例えば光源装置１の光を導出する導光部１３０を配設し図示せぬ表示板等を背面から発光させることに特徴を有している。また、それ以外の第４の実施形態に係る構成は、第１乃至第３の実施形態で述べた構成と同様である。そこで、第４の実施形態においては、第１乃至第３の実施形態と異なる導光部１３０の構成について中心に説明する。
【００６０】
バックライト装置７を構成する導光部１３０は、導光板１３１から構成され、図２０に示すように、例えば光源装置１の光源部１０に隣接し、導光板１３１の側面から入射された光源部１０の光源１１の光を導光板１３１の主面から導出する。ここで、導光板１３１は、アクリル酸又はメタクリル酸を重合して形成したアクリル樹脂又はポリカーボネイト等、透明な樹脂板から成る。また、導光板１３１は、着色された樹脂板を用いても良い。さらに、導光板１３１には、光を照射されることにより拡散光を発する微粒子状の拡散部材を添加した樹脂板を用いても良い。同様に、導光板１３１には、紫外域や可視域の光を照射されることにより蛍光を発する蛍光剤を塗布又は添加した樹脂板を用いても良い。ここで、光源部１０の光源１１の光が、導光板１３１の側面１３１ａを介して、該導光板１３１の内部に導光される。また、導光板１３１の主面には、凹部又は凸部が所定の間隔でマトリクス状に配列されている。また、導光板１３１の主面である一主面１３１ｂに、光源部１０の光源１１から照射された光を拡散光として導出させる凹部１３１ｃが形成されている。同様に、導光板１３１の一主面１３１ｂに対向した主面である他主面１３１ｄに、光源部１０の光源１１から照射された光を拡散光として導出させる凹部１３１ｅが形成されている。
【００６１】
ここで、導光部１３０の導光板１３１の一主面１３１ｂに形成された複数の凹部１３１ｃで発生した拡散光の大部分は、略均一な面発光の光として導光板１３１の他主面１３１ｄから導出される。同様に、導光板１３１の他主面１３１ｄに形成された複数の凹部１３１ｅで発生した拡散光の大部分は、略均一な面発光の光として導光板１３１の一主面１３１ｂから導出される。なお、導光板１３１の一主面１３１ｂの凹部１３１ｃ及び他主面１３１ｄの凹部１３１ｅの深さを、光源部１０の光が入射される導光板１３１の側面１３１ａから離間する毎に深くなるように形成しても良い。この様に形成すれば、導光板１３１の側面１３１ａから光源部１０の光源１１の光が入射された場合に、導光板１３１の側面１３１ａから離間する毎に伝播する光の光量が減少するが、導光板１３１の側面１３１ａから離間しても凹部で発生する拡散光の光量の減少を抑制することができる。したがって、導光板１３１の側面１３１ａからの距離によらず、導光板１３１の一主面１３１ｂ及び他主面１３１ｄから均一な面発光が導出される。この様な導光板１３１は、該導光板１３１の側面１３１ａから離間する毎に伝播する光の光量が大きく減少する場合に有効な構成である。
【００６２】
以上、本発明の第４の実施形態に係るバックライト装置７によれば、側面から入射された例えば光源装置１の光を導出する導光部１３０を配設し、該導光部１３０の導光板１３１を介して図示せぬ表示板等を背面から発光させることができる。また、本発明の第４の実施形態に係るバックライト装置７によれば、図２０に示すように、導光部１３０の導光板１３１の主面に、側面から入射された例えば光源装置１の光を拡散光として導出させる凹部、凸部、又はそれらを組み合わせたものが複数形成されている。この様な第４の実施形態に係るバックライト装置７によれば、導光板１３１の一主面１３１ｂに形成された複数の凹部１３１ｃで発生した拡散光の大部分を、略均一な面発光の光として導光板１３１の他主面１３１ｄから導出させることができる。同様に、導光板１３１の他主面１３１ｄに形成された複数の凹部１３１ｅで発生した拡散光の大部分を、略均一な面発光の光として導光板１３１の一主面１３１ｂから導出させることができる。したがって、第４の実施形態に係るバックライト装置７によれば、導光部１３０の導光板１３１を介して図示せぬ表示板等を背面から発光させることができる。
【００６３】
［第５の実施形態］
以下、本発明の第５の実施形態に係る表示装置８について、図２１を参照しながら、具体的に説明する。
【００６４】
ここで、本発明の第５の実施形態に係る表示装置８は、図２１に示すように、前述したバックライト装置７に所定の情報が表示された表示部１４０を配設し看板として用いられることに特徴を有している。また、それ以外の第５の実施形態に係る構成は、第４の実施形態で述べた構成と同様である。そこで、第５の実施形態においては、第４の実施形態と異なる表示部１４０の構成について中心に説明する。
【００６５】
表示装置８を構成する表示部１４０は、表示板１４１から構成され、図２１に示すように、導光板１３１の主面の両側又は片側に積層され、「□○△」から成る所定の情報が表示されている。なお、「□○△」から成る情報は、店舗名、広告、トイレ又は避難場所等の位置に相当し、表示装置８はそれらの情報を報知する看板として使用される。ここで、表示板１４１は、乳半板等から成る。なお、表示板１４１を基材及び粘着材から形成し、軟性材を介して導光板１３１に密着する構成としても良い。また、表示板１４１を、材質が異なる２個以上の部材から構成しても良い。また、表示板１４１を、塩化ビニルシート及びメタクリル樹脂板から構成しても良い。同様に、表示板１４１を、ポリ塩化ビニルシート、ポリカーボネイト樹脂板、ポリ塩化ビニルシートから構成しても良い。ここで、ポリカーボネイト樹脂板は難燃性であるため、万一、天井等から吊り下げられて設置された装置の構成部材が燃焼して溶けた場合でも、通行人や床面に垂れることを防止できる。なお、表示板１４１を構成するポリ塩化ビニルシートに換えて、ポリエチレンテレフタレート又はポリプロピレンを用いても良い。
【００６６】
以上、本発明の第５の実施形態に係る表示装置８によれば、第４の実施形態に係るバックライト装置７に所定の情報が表示された表示部１４０を配設し、該表示部１４０の表示板１４１により所定の情報を報知することができる。また、表示板１４１に表示される所定の情報は店舗名、広告、トイレ又は避難場所等の位置であり、表示装置８はそれらの情報を報知する看板として使用することができる。
【００６７】
次に、本発明の第４の実施形態に係るバックライト装置７及び第５の実施形態に係る表示装置８にそれぞれ設けられた導光板１３１の製造方法について、具体的に説明する。
【００６８】
導光板１３１の製造方法には、超音波加工、加熱加工、切削加工、レーザ加工、成型加工及びシルク印刷加工を用いることができる。したがって、導光板の仕様やコスト及び必要数量等に応じて、各加工方法を選択することにより、凹部又は凸部を導光板の各面に精度良く安定的に形成することができる。以下、導光板の製造方法について詳細に説明する。超音波加工では、導光板の各面に当接させた超音波加工用ホーンの超音波の振動を用いて、導光板の各面を部分的に溶融させることにより、該各面に凹部を形成する。また、加熱加工では、導光板の各面に当接させた加工具の熱を用いて、導光板の各面を部分的に溶融させることにより、該各面に凹部を形成する。同様に、切削加工では、導光板の各面に当接しながら回転又は付勢させた切削工具を用いて、導光板の各面を部分的に削り取ることにより、該各面に凹部を形成する。同様に、レーザ加工では、導光板の各面に集光させたレーザ光の熱を用いて、導光板の各面を部分的に溶融させることにより、該各面に凹部を形成する。同様に、成型加工では、成型する導光板の外形形状を反映させた形状を金型の内部に形成し、射出成型機に装着した金型に対して加熱して軟化させた樹脂を注入してから、該樹脂を冷却させることにより、導光板の各面に凹部、凸部又は凹状及び凸部を形成する。
【００６９】
また、導光板１３１の製造方法において、シルク印刷加工では、導光板の各面に対して所定の孔が開口した版を当接させ、孔を介して硬化性の樹脂を各面に付着させて、該各面を部分的に樹脂で被覆させることにより、該各面に凸部を形成する。また、成型加工又はシルク印刷加工に用いる導光板の基材である樹脂に、拡散光を発する微粒子状の拡散部材を添加しても良い。同様に、上述した超音波加工、加熱加工、切削加工又はレーザ加工を行う導光板の基材である樹脂に、拡散光を発する微粒子状の拡散部材を添加したものを用いても良い。なお、上述した超音波加工、加熱加工、切削加工、レーザ加工、成型加工及びシルク印刷加工を組み合わせて導光板を形成しても良い。また、成型加工により導光板の外形形状のみを形成した上で、超音波加工により導光板の各面に凹部を形成しても良い。同様に、成型加工により導光板の外形形状のみを形成した上で、シルク印刷加工により導光板の各面に凸部を形成しても良い。
【００７０】
最後に、本発明の光源装置１乃至光源装置６、バックライト装置７及び表示装置８の構成と主な作用効果について、請求項毎に具体的に説明する。
【００７１】
請求項１に記載の光源装置１乃至６は、光の出射面が線状に延在された光源部１０又は７０と、光の出射面に沿って長手方向に延在され、光の波長を選択して透過させる波長選択透過部２０、４０又は９０と、光源部１０又は７０及び波長選択透過部２０、４０又は９０を内部に収納する筐体部３０、５０又は１００とを有し、波長選択透過部２０、４０又は９０は、所定の波長領域の光を透過させる透過部材と、該透過部材を積層して保持する板状の保持部材とを備えていることを特徴としている。
【００７２】
この様な請求項１に記載の光源装置１乃至６によれば、波長を選択して透過させる透過部材が例えば薄いフィルム状から構成されている場合でも、該透過部材の形状を維持した状態で、光源装置に対し設置又は交換することが容易である。
【００７３】
また、請求項１に記載の光源装置１乃至６によれば、例えば波長選択透過部２０、４０又は９０の各透過部材がフィルム状に形成されていることから、光源部１０又は７０から入射された光を減衰させることなく、且つ湾曲等させた状態で設けることができる。また、光源装置１乃至光源装置６によれば、波長選択透過部２０、４０又は９０の各透過部材が、長尺から成るフィルム状に形成されている場合でも、該透過部材を張架した状態で保持部材に積層して設けることができることから、しわ又は歪み等の発生を防止することができる。
【００７４】
請求項２に記載の光源装置２及び３は、請求項１に従属し、筐体部５０は、該筐体部５０の長手方向の一端に設けられ波長選択透過部４０を該筐体部５０に嵌合させて波長選択透過部４０を固定する固定部６０を備えていることを特徴としている。
【００７５】
この様な請求項２に記載の光源装置２及び３によれば、該光源装置２及び３の使用において、出射させる光の波長範囲を変更したい場合に、波長選択透過部４０を容易に着脱することができる。
【００７６】
請求項３に記載の光源装置２及び３は、請求項２に従属し、固定部６０は、波長選択透過部４０を固定する際に筐体部５０に挿入する方向に突出した係留部を備えた固定部材を設け、係留部は、波長選択透過部４０の切り欠いた一部と係留し、かつ、上方に向かって突出する第１の係留部６２ａと、筐体部５０の一部を切り欠いた切り欠き部に係留し、かつ、筐体部５０に向かって突出した第２の係留部６２ｂとを設けていることを特徴としている。
【００７７】
この様な請求項３に記載の光源装置２及び３によれば、図８乃至図１０に示すように、固定部材６１の係留部６２の第１の係留部６２ａが波長選択透過部４０の保持部材４２の第１の切欠部４２ａに係留され、且つ固定部材６１の係留部６２の第２の係留部６２ｂが筐体５１の第２の嵌合部５１ｔに嵌合される構成であることから、工具や技能を一切必要とせず、波長選択透過部４０の着脱に係る作業性を大幅に向上させることができる。したがって、光源装置２及び３の使用において、出射させる光の波長範囲を変更したい場合に、波長選択透過部４０を容易に着脱することができる。
【００７８】
請求項４に記載の光源装置２及び３は、請求項３に従属し、第１の係留部６２ａは、筐体部５０に挿入する方向に向かって下り傾斜して形成されていることを特徴としている。
【００７９】
この様な請求項４に記載の光源装置２及び３によれば、固定部材６１の第２の係留部６２ｂに形成された傾斜面により、第２の係留部６２ｂを筐体５１の孔状に形成された第２の嵌合部５１ｔに嵌合させる際に、挿入する抵抗を少なく、また簡単に誘導することができる。
【００８０】
請求項５に記載の光源装置２及び３は、請求項３に従属し、第２の係留部６２ｂは、筐体部５０に挿入する方向に向かい第２の係留部の厚みが薄くなるように傾斜して形成されていることを特徴としている。
【００８１】
この様な請求項５に記載の光源装置２及び３によれば、請求項４に記載の光源装置２及び３と同様に、第２の係留部６２ｂの厚みが薄くなるように傾斜して形成された傾斜面により、第２の係留部６２ｂを筐体５１の孔状に形成された第２の嵌合部５１ｔに嵌合させる際に、挿入する抵抗を少なく、また簡単に誘導することができる。
【００８２】
請求項６に記載の光源装置１は、請求項１に従属し、筐体部３０は、短手方向に分離可能に形成されていることを特徴としている。
【００８３】
この様な請求項６に記載の光源装置１によれば、筐体部３０の長手方向に例えば壁等が有り、空間が十分に確保できない場合であっても、光源装置１を分解することができる。
【００８４】
請求項７に記載の光源装置１は、請求項６に従属し、筐体部３０は、第１の筐体及び第２の筐体から成り、第１の筐体及び第２の筐体は、それぞれを略Ｌ字状に形成され、その各々の底面の一部が重なった状態で組み付けられ、かつ、第１の筐体の側面は、装置が設置可能な壁面に固定可能とし、第２の筐体は短手方向に分離可能に構成されていることを特徴としている。
【００８５】
この様な請求項７に記載の光源装置１によれば、筐体部３０の短手方向に向かって、該筐体部３０の第１の筐体３１から第２の筐体３２を分解可能であることから、光源装置１を分解する際に広いスペースを必要とすることがなく、作業時の動作範囲を小さくすることができる。また、光源装置１によれば、筐体部３０の第１の筐体３１に波長選択透過部２０を係留した状態で、第１の筐体３１から第２の筐体３２を着脱可能であることから、光源装置１を組立て又は分解する際に、作業性を大幅に向上させることができる。
【００８６】
請求項８に記載の光源装置１乃至６は、請求項１に従属し、波長選択透過部２０、４０又は９０は、筐体部３０、５０又は１００に装着され、かつ、側面から入射された光を主面から導出する導光部１３０よりも１ｍｍ乃至４ｍｍ大きな幅で形成されていることを特徴としている。
【００８７】
この様な請求項８に記載の光源装置１乃至６によれば、波長選択透過部２０から出射された光を導光板１３１に対して確実に入射させることができ、且つ筐体部３０、５０又は１００から離脱することなく保持することができる。
【００８８】
請求項９に記載のバックライト装置７は、光の出射面が線状に延在された光源部１０又は７０と、光の出射面に沿って長手方向に延在され、光の波長を選択して透過させる透過部材が張架された状態で保持部材に積層された板状の波長選択透過部２０、４０又は９０と、光源部１０又は７０及び波長選択透過部２０、４０又は９０を収納する筐体部３０、５０又は１００とを有し、波長選択透過部２０、４０又は９０は、所定の波長領域の光を透過させる透過部材と、該透過部材を積層して保持する板状の保持部材とを備えた光源装置１乃至６と、光源装置１乃至６の光源部１０又は７０に隣接し、側面から入射された光源の光を主面から導出する導光板を備えた導光部１３０とを有することを特徴としている。
【００８９】
この様な請求項９に記載のバックライト装置７によれば、側面から入射された例えば光源装置１の光を導出する導光部１３０を配設し、該導光部１３０の導光板１３１を介して図示せぬ表示板等を背面から発光させることができる。
【００９０】
請求項１０に記載のバックライト装置７は、請求項９に従属し、導光板の主面に、側面から入射された光源の光を拡散光として導出させる凹部、凸部又はそれらを組み合わせたものが複数形成されていることを特徴としている。
【００９１】
この様な請求項１０に記載のバックライト装置７によれば、図２０に示すように、導光板１３１の一主面１３１ｂに形成された複数の凹部１３１ｃで発生した拡散光の大部分を、略均一な面発光の光として導光板１３１の他主面１３１ｄから導出させることができる。同様に、導光板１３１の他主面１３１ｄに形成された複数の凹部１３１ｅで発生した拡散光の大部分を、略均一な面発光の光として導光板１３１の一主面１３１ｂから導出させることができる。したがって、バックライト装置７によれば、導光部１３０の導光板１３１を介して図示せぬ表示板等を背面から発光させることができる。
【００９２】
請求項１１に記載の表示装置８は、光の出射面が線状に延在された光源部１０又は７０と、光の出射面に沿って長手方向に延在され、光の波長を選択して透過させる透過部材が張架された状態で保持部材に積層された板状の波長選択透過部２０、４０又は９０と、光源部１０又は７０及び波長選択透過部２０、４０又は９０を収納する筐体部３０、５０又は１００とを有し、波長選択透過部２０、４０又は９０は、所定の波長領域の光を透過させる透過部材と、該透過部材を積層して保持する板状の保持部材とを備えた光源装置１乃至６と、光源装置１乃至６の光源部１０又は７０に隣接し、側面から入射された光源の光を主面から導出する導光板を備えた導光部１３０とを有するバックライト装置７と、導光部１３０の主面の両側又は片側に積層され、所定の情報が表示された表示板を備えた表示部１４０とを有することを特徴としている。
【００９３】
この様な請求項１１に記載の表示装置８によれば、図２１に示すように、バックライト装置７に所定の情報が表示された表示部１４０を配設し、該表示部１４０の表示板１４１により所定の情報を報知することができる。また、表示板１４１に表示される所定の情報は店舗名、広告、トイレ又は避難場所等の位置であり、表示装置８はそれらの情報を報知する看板として使用することができる。
【符号の説明】
【００９４】
１，２，３，４，５，６  光源装置、７  バックライト装置、８  表示装置、１０，７０  光源部、１１  光源、１２  基板、１３，７３  基板保持部材、１４  配線、１２ａ  実装面、１２ｂ  電極、１３ｂ  積層面、７３ａ  第３の切欠部、２０，４０，９０，１１０，１２０  波長選択透過部、２１，４１，９１，９３，９４，９５，９６，９７，９８，１１１，１２１  透過部材、２２，４２，９２，９７，９９，１１２，１２２  保持部材、４１ａ，４２ａ  第１の切欠部、３０，５０，１００  筐体部、３１  第１の筐体、３２  第２の筐体、５１，１０１  筐体、３３  ネジ、３４  第１の蓋、３５，５２  第２の蓋、３１ａ，５１ａ  光源部載置面、３１ｂ，５１ｂ，１０１ｂ  波長選択透過部載置面、３１ｃ，１０１ｃ  係合溝、３１ｄ  嵌合面、３１ｅ，３２ｅ  当接面、３１ｍ  ネジ溝、３２ｈ  貫通孔、５１ｃ  係合溝、５１ｓ  外周面、５１ｔ  第２の嵌合部、１０１ｖ  導光部載置面、６０，８０  固定部、６１，８１  固定部材、６２，８２  係留部、６１ｐ，８１ｐ  係留面、６１ｒ，８１ｒ  配線孔、６２ａ，８２ａ  第１の係留部、６２ｂ，８２ｂ  第２の係留部、８２ｃ  第３の係留部、１３０  導光部、１３１  導光板、１３１ａ  側面、１３１ｂ  一主面、１３１ｄ  他主面、１３１ｃ，１３１ｅ  凹部、１４０  表示部、１４１  表示板、Ｃ１  中心軸。
【図１】
2013012420.tif 000003
【図２】
2013012420.tif 000004
【図３】
2013012420.tif 000005
【図４】
2013012420.tif 000006
【図５】
2013012420.tif 000007
【図６】
2013012420.tif 000008
【図７】
2013012420.tif 000009
【図８】
2013012420.tif 000010
【図９】
2013012420.tif 000011
【図１０】
2013012420.tif 000012
【図１１】
2013012420.tif 000013
【図１２】
2013012420.tif 000014
【図１３】
2013012420.tif 000015
【図１４】
2013012420.tif 000016
【図１５】
2013012420.tif 000017
【図１６】
2013012420.tif 000018
【図１７】
2013012420.tif 000019
【図１８】
2013012420.tif 000020
【図１９】
2013012420.tif 000021
【図２０】
2013012420.tif 000022
【図２１】
2013012420.tif 000023